(57)【要約】【課題】筐体の高さあるいは奥行き寸法をコンパクト化し、かつ母線の三相短絡電流による母線間の電磁力に対応した筐体の強度向上を考慮する必要のない母線支持装置およびそれを用いたスイッチギヤを得る。【解決手段】母線支持装置１は、三角形の頂点の位置に三相の母線２を配置し、支持するように構成されている。そして、エポキシ樹脂の成型品などの絶縁物からなる支持部材３により構成されている。これにより、母線２の各相間は直線的に絶縁物からなる支持部材３で支持されることになる。また、支持部材３は、三相短絡電流による母線２の相互間に働く電磁力の強度に耐えうる強度を有する部材で構成されている。【選択図】図１
2011024339.tif 000002
【特許請求の範囲】
【請求項１】
複数の母線を支持する母線支持装置であって、
上記複数の母線を三角形の各頂点の位置に配置して上記各母線を支持する支持部材を備え、
上記支持部材は、絶縁物からなり、各母線間に軸を有する棒状絶縁体で各母線間を支持し、前記棒状絶縁体を一体に連結して三角形状の絶縁支持体を形成することを特徴とする母線支持装置。
【請求項２】
上記各母線間に介在する上記支持部材は、一体に形成されたことを特徴とする請求項１に記載の母線支持装置。
【請求項３】
上記複数の母線を直角三角形の各頂点の位置に配置したことを特徴とする請求項１又は請求項２に記載の母線支持装置。
【請求項４】
母線室を備え、上記母線室に請求項１ないし請求項３のいずれかに記載の母線支持装置を収納したことを特徴とするスイッチギヤ。
【発明の詳細な説明】
【技術分野】
【０００１】
この発明は、配電盤あるいは開閉装置等のスイッチギヤに収納される母線支持装置およびその母線支持装置を用いたスイッチギヤに関するものである。
【背景技術】
【０００２】
一般に、配電盤あるいは開閉装置等のようなスイッチギヤの筐体内は、制御室、遮断器室、母線室、ケーブル室で構成されている。そして、収納される機器、導体等の制約により、母線室の高さ寸法あるいは奥行き寸法を考慮した上で、三相母線を筐体側面から見て、水平、垂直、三角形等に配置される。その場合、三相母線は各相毎に支持碍子および碍子フレーム等で固定され、母線のそれぞれから遮断器端子までは分岐導体で接続されている（例えば、特許文献１、特許文献２参照）。
【先行技術文献】
【特許文献】
【０００３】
【特許文献１】特開２００６−１９１７４０号公報（要約の欄、図１）
【特許文献２】実開平１−６１８０４号公報（４頁４行−１０行）
【発明の概要】
【発明が解決しようとする課題】
【０００４】
しかし、スイッチギヤにおける従来の三相母線の支持方法では、筐体を強度面から見た場合、母線に流れる三相短絡電流による母線間の電磁力の強度を考慮する必要がある。一般に、短絡電流による電磁力は母線の重量よりはるかに大きく、母線を碍子で支持する場合、碍子の曲げ方向に働く力があり、その曲げ方向に働く力に支持碍子が耐える必要がある。加えて、その支持碍子を固定する碍子フレームあるいは筐体にも強度が必要である。
【０００５】
スイッチギヤの筐体の大きさにおいては、水平に母線を配置した場合は筐体の高さ寸法は低くなるが、奥行き寸法が大きくなり、また、垂直に母線を配置した場合はその逆である。更に、筐体側面から見て三角形の頂点の位置に母線を配置した場合も各相毎に支持碍子あるいは碍子フレーム等の取付けが必要で、奥行き寸法が大きくなる。
【０００６】
この発明は、上記のような課題を解決するためになされたもので、筐体の高さあるいは奥行き寸法をコンパクト化し、かつ母線の三相短絡電流による母線間の電磁力に対応した筐体の強度向上を考慮する必要のない母線支持装置およびそれを用いたスイッチギヤを得ることを目的とするものである。
【課題を解決するための手段】
【０００７】
この発明による母線支持装置は、複数の母線を三角形の各頂点の位置に配置して上記各母線を支持する支持部材を備え、上記支持部材は、絶縁物からなり、各母線間に軸を有する棒状絶縁体で各母線間を支持し、前記棒状絶縁体を一体に連結して三角形状の絶縁支持体を形成するものである。
【発明の効果】
【０００８】
この発明によれば、複数の母線を三角形の各頂点の位置に配置して上記各母線を支持する支持部材を備え、上記支持部材は、絶縁物からなり、各母線間に軸を有する棒状絶縁体で各母線間を支持し、前記棒状絶縁体を一体に連結して三角形状の絶縁支持体を形成したので、筐体の高さ寸法あるいは奥行き寸法をコンパクト化し、かつ母線の三相短絡電流による母線間の電磁力に対応した筐体の強度向上を考慮する必要のない母線支持装置を得ることができる。
【図面の簡単な説明】
【０００９】
【図１】この発明の実施の形態１による母線支持装置の側面図である。
【図２】図１に示す母線支持装置のＡ−Ａ線断面図である。
【図３】図１に示す母線支持装置のＢ−Ｂ線及びＣ−Ｃ線断面図である。
【図４】図１に示す母線支持装置の要部拡大図である。
【図５】図４を矢視Ｄ方向から見た図である。
【図６】この発明の実施の形態２による母線支持装置の側面図である。
【図７】この発明の実施の形態３によるスイッチギヤ１回路の側面断面図である。
【図８】従来の三角配置母線のスイッチギヤ１回路の側面断面図である。
【図９】従来の水平配置母線のスイッチギヤ１回路の側面断面図である。
【図１０】従来の垂直配置母線のスイッチギヤ１回路の側面断面図である。
【図１１】この発明の実施の形態４によるスイッチギヤの側面断面図である。
【図１２】この発明の実施の形態５によるスイッチギヤの側面断面図である。
【発明を実施するための形態】
【００１０】
以下、添付の図面を参照して、この発明による母線支持装置およびそれを用いたスイッチギヤについて好適な実施の形態を説明する。なお、これらの実施の形態によりこの発明が限定されるものでない。
【００１１】
実施の形態１．
図１は、この発明の実施の形態１による母線支持装置の側面図である。母線支持装置１は、三角形の頂点の位置に三相の母線２を配置し、支持するように構成されている。そして、エポキシ樹脂の成型品などの絶縁物からなる支持部材３により構成されている。これにより、母線２の各相間は直線的に絶縁物からなる支持部材３で支持されることになる。また、支持部材３は、三相短絡電流による母線２の相互間に働く電磁力の強度に耐えうる強度を有する部材で構成されている。母線支持装置１は、筐体（図示せず）に固定するため、母線２と最小の大地間絶縁距離を満足するように図１においてその一部の支持部材３を上下方向に延長させている。なお、支持部材３の表面には複数個の突形状相間バリヤー４が形成されており、絶縁距離Ｌを保つために必要な沿面距離を確保している。
【００１２】
図２は、図１に示す母線支持装置のＡ−Ａ線断面図、図３は、図１に示す母線支持装置のＢ−Ｂ線及びＣ−Ｃ線断面図である。図１、図２、及び図３に示すように支持部材３は、母線２が取付けられる面が長くなった断面長方形状の棒状絶縁体であり、この棒状絶縁体の各軸は各母線２間に介在している。
【００１３】
図４は、図１に示す母線支持装置１の要部拡大図である。ここでは、図１で省略した母線支持装置１と筐体５との接続状態を示している。図５は、図４を矢視Ｄ方向から見た図である。図５に示すように、筐体フレーム５ａは筐体５の幅方向に水平に設けられており、一部に下方向への突設部５ｂを有している。この筐体フレーム５ａの突設部５ｂに支持部材３の端部がネジ止めされている。一方、母線２は筐体フレーム５ａと平行に配置されており、支持部材３にネジ止めされている。
【００１４】
このように、実施の形態１による母線支持装置１は、母線２の相互間に働く電磁力をその支持部材３により一括して支持するため、各相毎に固定する必要はなく、部品点数も削減され、組立作業性が向上する。
【００１５】
また、この母線支持装置１によれば、母線２の相互間に働く電磁力が支持部材３の介在方向に直線的に作用するので曲げ方向に作用する力が小さくなる。従って、曲げ方向に耐える必要が無くなり、母線支持装置１や筐体の強度を小さくすることが可能となる。
【００１６】
また、この母線支持装置１をスイッチギヤの筐体内に収納すれば、筐体には母線２の相互間に働く電磁力に対応した強度を考慮する必要がなくなる。従って、筐体を構成する部材の厚さを薄くして重量を軽くすることができ、輸送時の作業性、経済性において有利なものとなる。
【００１７】
更に、母線２を母線室において、筐体側面から見て三角形の頂点の位置において水平方向へ延長するように配置することができるので、筐体の高さ寸法を低くすることができ、奥行き寸法も小さくすることができる。従って、スイッチギヤの筐体寸法を縮小化できると共に、輸送や電気室などの寸法制限を満足して搬入性が改善される。加えて、工事期間の短縮あるいは工事費の削減につながることになる。
【００１８】
実施の形態２．
次に、実施の形態２について説明する。図６は、この発明の実施の形態２による母線支持装置の側面図である。スイッチギヤの筐体に母線２を支持する母線支持装置１の配置は、筐体構成によりさまざまであって、図６（ａ）、（ｂ）、（ｃ）に示すように、筐体側面から見て三角形の各頂点の位置から垂直方向あるいは水平方向に支持部材３を延長し、母線２を支持するようにしてもよい。また、各頂点の位置の間から大地間絶縁距離を満足しつつ、筐体に向かって延長するようにしてもよい。
【００１９】
実施の形態３．
次に、実施の形態１あるいは実施の形態２による母線支持装置を用いたスイッチギヤを実施の形態３として説明する。図７は、代表として実施の形態１による母線支持装置を用いたスイッチギヤの側面断面図を示し、母線、遮断器、変流器、および導体で構成される１回路を筐体内に収納した状態図である。図７において、高さ寸法をＨ１、奥行き寸法をＤ１とする筐体５の内部に、母線支持装置１に支持された母線２、遮断器６、変流器７、および遮断器６と変流器７を接続する導体８が収納されている。なお、変流器７は、碍子９と碍子９を固定する碍子フレーム１０に支持されるケーブル１１により、図示しない外部機器に接続されている。また、母線２は、各相間と大地間に最小の絶縁距離ａ、ｂを有して母線支持装置１に支持されて母線室１２に収納されている。母線２と遮断器６は分岐導体１３により接続されている。
【００２０】
実施の形態３によるスイッチギヤは、図７に示すように、筐体側面から見て母線２を三角形の頂点の位置に配置し、各相間を三相短絡電流による母線間に働く電磁力に耐えうる強度を持つ支持部材３で構成される母線支持装置１により支持している。従って、図８に示す母線２を三角形の頂点の位置に配置した従来のスイッチギヤに対し、次の特徴を有する。
【００２１】
即ち、図８に示す従来のスイッチギヤは、筐体側面から見て三角形の頂点の位置に配置された各相の母線２が、支持碍子９及び碍子フレーム１０で固定されている。その他の構成については図７と同様で、同一符号を付している。この図８に示す従来のスイッチギヤと図７に示す実施の形態３のスイッチギヤとを比較すると、実施の形態３のスイッチギヤは、碍子フレーム１０の寸法２ｃ分の奥行き寸法が小さくなっている。なお、図８において、Ｈ２は筐体１の高さ寸法、Ｄ２は筐体１の奥行き寸法を示している。
【００２２】
また、図９に示す母線２を水平に配置した従来のスイッチギヤと比較すると、実施の形態３のスイッチギヤは、高さ寸法は母線２の導体１枚の高さ分大きくなるが、奥行き寸法は相間の絶縁距離ｂ分だけ小さくなる。なお、図９において、Ｈ３は筐体１の高さ寸法、Ｄ３は筐体１の奥行き寸法を示している。
【００２３】
更に、図１０に示す母線２を垂直に配置した従来のスイッチギヤと比較すると、実施の形態３のスイッチギヤは、奥行き寸法は同じであるが、高さ寸法が相間の絶縁距離ｂと母線２の導体１枚の高さ分だけ小さくなる。なお、図１０において、Ｈ４は筐体１の高さ寸法、Ｄ４は筐体１の奥行き寸法を示している。
【００２４】
以上を纏めると、高さ寸法はＨ３＜Ｈ１＝Ｈ２＜Ｈ４、奥行き寸法はＤ１＝Ｄ４＜Ｄ２＜Ｄ３となり、従って、実施の形態１の母線支持装置１を用いると、スイッチギヤのコンパクト化において有効であることが理解される。
【００２５】
実施の形態４．
次に、実施の形態４について説明する。図１１は、実施の形態４によるスイッチギヤの側面断面図で、二重母線構造のスイッチギヤを示す図である。実施の形態４によるスイッチギヤは、母線室１２が筐体５の中央上下に配置されている。上段遮断器２の上端子と下段遮断器２の下端子にそれぞれ母線２を分岐導体１３で接続する。母線２は三角形に配置され、母線支持装置１で固定されているので、高さ寸法および奥行き寸法が縮小化されており、実施の形態１のスイッチギヤと同様の効果を得ることができる。
【００２６】
実施の形態５．
次に、実施の形態５について説明する。図１２は、実施の形態５によるスイッチギヤの側面断面図で、母線変換盤のスイッチギヤを示す図である。実施の形態５によるスイッチギヤは、母線室１２が筐体５の中央上部に配置される。中央の母線２は、２段積みの盤が列盤されることを想定して垂直配置とする。遮断器６の下端子と母線２を分岐導体１３で接続する。盤上段の母線２は三角形に配置し、盤上段に配置される遮断器６の上端子と母線２を分岐導体１３で接続する。なお、上段の母線２は下段に配置してもよい。この実施の形態５によるスイッチギヤにおいても、実施の形態１のスイッチギヤと同様の効果を得ることができる。
【符号の説明】
【００２７】
１  母線支持装置
２  母線
３  支持部材
４  相間バリヤー
５  筐体
５ａ  筐体フレーム
５ｂ  突設部
６  遮断器
７  変流器
８  導体
９  碍子
１０  碍子フレーム
１１  ケーブル
１２  母線室
１３  分岐導体
【図１】
2011024339.tif 000003
【図２】
2011024339.tif 000004
【図３】
2011024339.tif 000005
【図４】
2011024339.tif 000006
【図５】
2011024339.tif 000007
【図６】
2011024339.tif 000008
【図７】
2011024339.tif 000009
【図８】
2011024339.tif 000010
【図９】
2011024339.tif 000011
【図１０】
2011024339.tif 000012
【図１１】
2011024339.tif 000013
【図１２】
2011024339.tif 000014